(57)【要約】【課題】スライド部の光軸方向の円滑な移動を確保することができるとともに、ゴーストフレアが発生するのを防止することができる変倍ファインダ装置を提供する。【解決手段】この変倍ファインダ装置は、光学レンズを保持する保持部３ｃと、該保持部３ｃから光軸方向に延設され、ガイド部材に沿って光軸方向に案内されるスライド部３ｅと、を備える。そして、保持部３ｃおよびスライド部３ｅには、光分散加工面であるマット処理加工面３ｎが設けられている。【選択図】図５
2008070631.tif 000002
【特許請求の範囲】
【請求項１】
光学レンズを保持する保持部と、該保持部から光軸方向に延設され、ガイド部材に沿って光軸方向に案内されるスライド部と、を備える変倍ファインダ装置であって、
前記スライド部の少なくとも一部に光透過率減少加工あるいは光分散加工を施した、
ことを特徴とする変倍ファインダ装置。
【請求項２】
前記保持部の光軸方向に対して直交する面の少なくとも一部に光透過率減少加工あるいは光分散加工を施した、
ことを特徴とする請求項１に記載の変倍ファインダ装置。
【請求項３】
前記スライド部は前記光学レンズの光軸方向の一方の面から他方の面に向かって延びて、該他方の面から光軸方向に突出配置され、
該スライド部の前記一方の面側の光軸方向に対して直交する面に光透過率減少加工あるいは光分散加工を施した、
ことを特徴とする請求項１又は２に記載の変倍ファインダ装置。
【請求項４】
前記保持部の光軸方向に対して直交する面に光透過率減少加工あるいは光分散加工を施すとともに、前記スライド部の光軸方向に対して直交する面に光透過率減少加工あるいは光分散加工を施し、
かつ前記保持部と前記スライド部との各加工面が略面一とされている、
ことを特徴とする請求項１〜３のいずれか一項に記載の変倍ファインダ装置。
【請求項５】
前記光分散加工が、マット処理加工である、
ことを特徴とする請求項１〜４のいずれか一項に記載の変倍ファインダ装置。
【請求項６】
前記光透過率減少加工が、つや消し加工又はしぼ加工である、
ことを特徴とする請求項１〜５のいずれか一項に記載の変倍ファインダ装置。
【請求項７】
前記光学レンズ、前記保持部および前記スライド部が樹脂により一体に成形されている、
ことを特徴とする請求項１〜６のいずれか一項に記載の変倍ファインダ装置。
【発明の詳細な説明】
【技術分野】
【０００１】
本発明は、例えば、デジタルカメラ等の撮影レンズのズーミングに連動してファインダの変倍を行う変倍ファインダ装置に関する。
【背景技術】
【０００２】
デジタルカメラ等では、撮影レンズのズーミングに連動してファインダの変倍を行うために変倍ファインダ装置が用いられている。
【０００３】
この変倍ファインダ装置は、変倍機能を持つファインダ光学系を有し、ズーミングに連動してファインダ光学系の複数の可動レンズを光軸方向に移動させてレンズ間隔を変動させ、これにより、ファインダの変倍を行う。
【０００４】
このような変倍ファインダ装置として、図８に示すように、光学素子１０５ａと、光学素子１０５ａを保持する保持枠１０５ｂと、保持枠１０５ｂに設けられ、ガイド軸１０４に沿って光軸方向に案内されるスライド部１０５ｃとを備えるものが提案されている。
【０００５】
この変倍ファインダ装置は、光学素子１０５ａ、保持枠１０５ｂおよびスライド部１０５ｃが一体成形されており、これにより、部品点数の削減、および組み立て性の向上が図れるとしている（特許文献１参照）。
【０００６】
しかし、この変倍ファインダ装置は、保持枠１０５ｂの光軸方向の端面が鏡面となり、この鏡面で像形成用以外の光線が反射して、像形成用の有効範囲に入射し、ゴーストフレアが発生する。
【０００７】
そこで、図９に示すように、レンズ２０３と一体に成形された保持枠２０２に、該保持枠２０２へ入射する光線Ｒ２を像形成用の有効光束から遠ざける方向に案内するゴーストフレア防止部２０２ａを設けたものが提案されている（特許文献２参照）。
【特許文献１】実開平０５−０６４８３６号公報
【特許文献２】特開平１１−１６７１４３号公報
【発明の開示】
【発明が解決しようとする課題】
【０００８】
しかし、特許文献２では、レンズ周辺の保持枠２０３以外の位置で光線が反射して像形成用の有効範囲に入射する場合があり、この場合はゴーストフレアが発生する。
【０００９】
また、レンズ、保持枠およびスライド部が一体成形されるファインダレンズでは、レンズのズーミングの際、光軸と直交する方向への振れが生じることなく、レンズが光軸に沿って円滑に移動することが求められる。
【００１０】
そのため、図１０に示すように、レンズと一体の保持枠３０２，３０３に設けたスリーブ状のスライド部３０２ａ，３０３ａをできるだけ光軸方向に長くすることが好ましい。
【００１１】
しかし、スライド部３０２ａ，３０３ａを光軸方向に長くした場合、スライド部３０２ａ，３０３ａに入射した光が、スライド部３０２ａ，３０３ａを導光体として、像形成用の有効範囲内に入射し、ゴーストフレアが発生することがある。
【００１２】
そこで、本発明は、スライド部の光軸方向の円滑な移動を確保することができるとともに、ゴーストフレアが発生するのを防止することができる変倍ファインダ装置を提供することを目的とする。
【課題を解決するための手段】
【００１３】
上記目的を達成するために、本発明の変倍ファインダ装置は、光学レンズを保持する保持部と、該保持部から光軸方向に延設され、ガイド部材に沿って光軸方向に案内されるスライド部と、を備える変倍ファインダ装置であって、前記スライド部の少なくとも一部に光透過率減少加工あるいは光分散加工を施した、ことを特徴とする。
【発明の効果】
【００１４】
本発明によれば、スライド部の少なくとも一部に光透過率減少加工あるいは光分散加工を施しているので、スライド部を光軸方向に長くしてもスライド部を導光体としてプリズム内に入射する光を減少させることができる。
【００１５】
これにより、スライド部の光軸方向の円滑な移動を確保することができるとともに、ゴーストフレアが発生するのを防ぐことができる。
【発明を実施するための最良の形態】
【００１６】
以下、本発明の実施の形態の一例を図を参照して説明する。
【００１７】
図１は本発明の実施の形態の一例である変倍ファインダ装置を説明するための分解斜視図、図２は図１に示す変倍ファインダ装置のワイド端状態を示す斜視図、図３は図１に示す変倍ファインダ装置のテレ端状態を示す斜視図である。図４は図１に示す変倍ファインダ装置を構成する第２の対物レンズを説明するための斜視図、図５は図４に示す第２の対物レンズを背面側から見た斜視図である。図６は図１に示す変倍ファインダ装置を構成する第３の対物レンズを説明するための斜視図、図７は図６に示す第３の対物レンズを背面側から見た斜視図である。
【００１８】
本発明の実施の形態の一例である変倍ファインダ装置は、図１に示すように、対物光学系ユニット１Ａと、接眼光学系ユニット１Ｂとを備える。
【００１９】
対物光学系ユニット１Ａは、第１のファインダ地板１を備えており、第１のファインダ地板１には、第１の対物レンズ２、第２の対物レンズ３、第３の対物レンズ５、プリズム９、マスク４と、スプリング６，７、ガイドバー８が配置されている。
【００２０】
第１のファインダ地板１は、第１の対物レンズ２から射出した観察光が通過する開口部１ａと、光軸方向に移動可能な第２の対物レンズ３および第３の対物レンズ５を収納するレンズ収納室１ｂとを有する。また、第１のファインダ地板１は、ガイドバー８を支持する孔１ｃと、第２および第３の対物レンズ３，５の振れを規制するためのガイド溝１ｄと、プリズム９を収納するプリズム収納室１ｅとを有する。
【００２１】
第２の対物レンズ３は、図４および図５に示すように、光軸方向の一方の面に第１の球面３ａが形成され、他方の面に第２の球面３ｂが形成されたレンズ部と、該レンズ部を保持する保持部３ｃと、保持部３ｃから光軸方向に延設されたスリーブ部３ｅとを有する。レンズ部、保持部３ｃおよびスリーブ部３ｅは、樹脂等により一体成形されており、スリーブ部（スライド部）３ｅには、ガイドバー（ガイド部材）８に嵌合されて第２の対物レンズ３を光軸方向に沿って案内する嵌合孔３ｄが形成されている。
【００２２】
スリーブ部３ｅは、第２の球面３ｂ側から第１の球面３ａ側へ向けて延出して、該第１の球面３ａから光軸方向に突出配置されている。また、スリーブ部３ｅの光軸方向の長さは、レンズの倒れや、レンズ移動時の揺れを抑えるため、できるだけ光軸方向に長く設定されている。
【００２３】
スリーブ部３ｅの第２の球面３ｂ側で光軸方向に対して直交する面、および保持部３ｃの第２の球面３ｂ側で光軸方向に対して直交する面は、略一とされており、各面には、図５に示すように、マット処理加工面３ｎが設けられている。このマット処理加工面３ｎは、レンズ部、保持部３ｃおよびスリーブ部３ｅの一体成形時に形成される。
【００２４】
また、スリーブ部３ｅには、保持部３ｃの反対側に突出するカムフォロア３ｆが一体に形成されており、カムフォロア３ｆはカム板１４に設けられたカム溝１４ａ（図１参照）にカム係合している。カム板１４が回転することによって、カムフォロア３ｆがカム溝１４ａに沿って摺動して、第２の対物レンズ３がガイドバー８に沿って光軸方向に移動可能となっている。
【００２５】
さらに、保持部３ｃのスリーブ部３ｅの反対側の面には、振れ止め部３ｇが突設されている。振れ止め部３ｇは、第１のファインダ地板１のガイド溝１ｄに係合して、第２の対物レンズ３の光軸と直交する方向の振れを規制する。また、スリーブ部３ｃからは腕部３ｌが突設されており、腕部３ｌの先端にはスプリング６の引っ掛け部３ｍ（図５参照）が形成されている。
【００２６】
マスク４は、第１の対物レンズ２と第２の対物レンズ３との間に配置されて、第２の対物レンズ３に取り付けられており、第２の対物レンズ３と一体に光軸方向に移動する。このマスク４の中央には、第１の対物レンズ２から射出した観察光が通過する開口部４ａが形成されている。また、マスク４は、第２の対物レンズ３に設けられた位置決め部３ｈ，３ｉ、および爪部３ｊ，３ｋに嵌合することで第２の対物レンズ３に固定されている。
【００２７】
図６および図７を参照して、第３の対物レンズ５は、光軸方向の一方の面に第１の球面５ａが形成され、他方の面に第２の球面５ｂが形成されたレンズ部と、該レンズ部を保持する保持部５ｃと、保持部５ｃから光軸方向に延設されたスリーブ部５ｅとを有する。
【００２８】
第３の対物レンズ５は、第１の球面５ａが第２の対物レンズの第２の球面３ｂと光軸方向の対向するように同軸配置されている。
【００２９】
レンズ部、保持部５ｃおよびスリーブ部５ｅは、樹脂等により一体成形されており、スリーブ部（スライド部）５ｅには、ガイドバー（ガイド部材）８に嵌合されて第３の対物レンズ５を光軸方向に沿って案内する嵌合孔５ｄが形成されている。
【００３０】
スリーブ部５ｅは、第１の球面５ａ側から第２の球面５ｂ側へ向けて延出して、該第２の球面５ｂから光軸方向に突出配置されている。また、スリーブ部５ｅの光軸方向の長さは、レンズの倒れや、レンズ移動時の揺れを抑えるため、できるだけ光軸方向に長く設定されている。
【００３１】
スリーブ部５ｅの第１の球面５ａ側で光軸方向に対して直交する面、および保持部５ｃの第１の球面５ａ側で光軸方向に対して直交する面は、略一とされており、各面には、図６に示すように、マット処理加工面５ｎが設けられている。このマット処理加工面５ｎは、レンズ部、保持部５ｃおよびスリーブ部５ｅの一体成形時に形成される。
【００３２】
また、スリーブ部５ｅには、保持部５ｃの反対側に突出するカムフォロア５ｆが一体に形成されており、カムフォロア５ｆはカム板１４に設けられたカム溝１４ａ（図１参照）にカム係合している。カム板１４が回転することによって、カムフォロア５ｆがカム溝１４ａに沿って摺動して、第３の対物レンズ５がガイドバー８に沿って光軸方向に移動可能となっている。
【００３３】
さらに、保持部５ｃのスリーブ部５ｅの反対側の面には、振れ止め部５ｇが突設されている。振れ止め部５ｇは、第１のファインダ地板１のガイド溝１ｄに係合して、第３の対物レンズ５の光軸と直交する方向の振れを規制する。また、スリーブ部５ｅからは腕部５ｌが突設されており、腕部５ｌの先端にはスプリング７の引っ掛け部５ｍ（図６参照）が形成されている。
【００３４】
スプリング６は、引っ張りコイルばねであり、前述のように第２の対物レンズ３の引っ掛け部３ｍに引っ掛けられ、第２の対物レンズ３を第１の対物レンズ２側へ付勢している。第２の対物レンズ３を第１の対物レンズ２側へ付勢するのは、第２の対物レンズ３のカムフォロア３ｆがカム溝１４ｂの摺動面に確実に倣って移動するようにするためである。これにより、第２の対物レンズ３がカム溝１４ｂ内でガタつくのを防ぎ、また、対物レンズのレンズ間隔を保証している。
【００３５】
スプリング７は、引っ張りコイルばねであり、前述のように第３の対物レンズ５の引っ掛け部５ｍに引っ掛けられ、第３の対物レンズ５をプリズム９側へ付勢している。第３の対物レンズ５をプリズム９側へ付勢するのは、第３の対物レンズ５のカムフォロア５ｆがカム溝１４ｃの摺動面に確実に倣って移動するようにするためである。これにより、第３の対物レンズ５がカム板１４のカムム溝１４ｃ内でガタつくのを防ぎ、対物レンズのレンズ間隔を保証している。
【００３６】
プリズム９は、第１のファインダ地板１のプリズム収納室１ｅに収納される。第３の対物レンズ５から射出した観察光はプリズム９の入射面９ａからプリズム９内に入射し、入射した観察光はプリズム９の射出面９ｂから射出して、後述するダハプリズム１１の入射面１１ａに導かれる。
【００３７】
接眼光学系ユニット１Ｂは、図１に示すように、第２のファインダ地板１０を備えており、第２のファインダ地板１０には、ダハプリズム１１、接眼レンズ１３および視野枠１２が配置されている。
【００３８】
また、第２のファインダ地板１０には、ダハプリズム１１を収納するダハプリズム収納室１０ａと、ダハプリズム収納室１０ａの後方（接眼側）に配置された開口部１０ｂと、接眼レンズ１３を保持する保持部１０ｃとが形成されている。開口部１０ｂは、ダハプリズム１１の射出面１１ｂから射出した観察光が通過する。
【００３９】
ダハプリズム収納室１０ａに収納されたダハプリズム１１は、接着等により第２のファインダ地板１０に保持されている。そして、プリズム９の照射面９ａから射出した観察光がダハプリズム１１の入射面１１ａからダハプリズム１１内に入射し、ダハ部により上下像が反転されてダハプリズム１１の射出面に導かれる。接眼レンズ１３は第２のファインダ地板１０の開口部１０ａを覆うように第２のファインダ地板１０の保持部１０ｃに取り付けられる。
【００４０】
視野枠１２はファインダ光学系の視野範囲を表示する長方形状をした視野表示開口部１２ａを有しており、プリズム９とダハプリズム１１の間に配置され、第１のファインダ地板１に保持されている。
【００４１】
そして、対物光学系ユニット１Ａと接眼光学系ユニット１Ｂとは、第１のファインダ地板１に第２のファインダ地板１０をプリズム９の射出面９ｂ近傍で取り付けることによって、ファインダユニットとして機能する。
【００４２】
次に、図２および図３を参照して、ファインダの変倍動作を説明する。
【００４３】
図２はファインダユニットがワイド端位置にある状態を示しており、この状態からファインダをテレ方向に移動させる場合、カメラ本体の不図示のズーム切り替えスイッチを切り替えることで駆動ユニットを正方向に回転駆動する。この駆動力が不図示の駆動機構を介してカム板１４へ伝達され、カム板１４は対物レンズを正面に見て時計周り方向に回転する。
【００４４】
このカム板１４の回転により、第２の対物レンズ３のカムフォロア３ｆがカム溝１４ｂに沿って摺動して、第２の対物レンズ３がガイドバー８に沿って光軸方向に移動し、ファインダユニットが図３に示すテレ端位置に移動する。
【００４５】
また、ファインダユニットをテレ端位置からワイド方向に移動させる場合、カメラ本体の不図示のズーム切り替えスイッチを切り替えることで駆動ユニットを逆方向に回転駆動する。この駆動力が不図示の駆動機構を介してカム板１４へ伝達され、カム板１４は対物レンズを正面に見て反時計周り方向に回転する。
【００４６】
このカム板１４の回転により、第２および第３の対物レンズ３，５のカムフォロア３ｆ，５ｆがカム溝１４ｂ，１４ｃに沿って摺動して、対物レンズ３，５がガイドバー８に沿って光軸方向に移動し、ファインダユニットが図２に示すワイド端位置に移動する。
【００４７】
このように対物レンズ３，５が光軸方向に移動する際、対物レンズ３，５が光軸方向に対して直交する方向へ揺れると、観察される像にも揺れが生じる。このため、この揺れを最小限に抑えるため、第２の対物レンズ３のスリーブ部３ｅおよび第３の対物レンズ５のスリーブ部５ｅの光軸方向の長さをできるだけ長くしてガイドバー８との嵌合長を長くし、嵌合ガタを最小限にしている。
【００４８】
しかし、スリーブ部３ｅ，５ｅを光軸方向に長くすると、対物レンズ３，５の位置によっては、図３を参照して、スリーブ部３ｅ，５ｅへ入射される光１５がスリーブ部３ｅ，５ｅを導光体としてスリーブ部３ｅ，５ｅ内を通過し、プリズム９側へ入射してしまう。この光１５がプリズム９側へ入射すると、ゴーストフレアとして接眼レンズ１３から像が見えてしまうことになる。
【００４９】
特に、図３に示すように、ファインダユニットがテレ端状態にある場合、対物レンズ３のスリーブ部３ｅと対物レンズ５のスリーブ部５ｅとが連続して長くつながった状態になるため、スリーブ部３ｅ，５ｅ内を反射してプリズム９側に入射する可能性が高くなる。
【００５０】
そこで、本実施の形態では、上述したように、第２の対物レンズ３のスリーブ部３ｅおよび保持部３ｃにマット処理加工面３ｎを設けるとともに、第３の対物レンズ５のスリーブ部５ｅおよび保持部５ｃにマット処理加工面５ｎを設けている。
【００５１】
これにより、スリーブ部３ｅ，５ｅを導光体としてプリズム９側へ入射する光を減らして、接眼レンズ１３からゴーストフレアがはっきり見えてしまう現象を回避している。
【００５２】
なお、スリーブ部３ｅ，５ｅ内に入射する光を遮るには、スリーブ部３ｅ，５ｅに黒塗りをしたり、別部品を設けることも有効だが、この場合、工程が増えたり、部品点数が増えるので、コストアップになる。
【００５３】
これに対し、本実施の形態では、スリーブ部３ｅ，５ｅにマット処理加工（光分散加工）を施すため、対物レンズ３，５の樹脂等の一体成形時に同時に加工することができ、部品点数を増やすことなく、加工処理も容易であり、コストも安いものとなる。
【００５４】
また、スリーブ部３ｅ，５ｅの光軸方向に対して直交する面にマット処理加工面３ｎ，５ｎを設けているので、マット処理加工が容易となる。たとえば、スリーブ部の外径部にマット処理加工を施す場合、光軸方向に長いスリーブ部を成形可能にするためには、比較的大きな抜きテーパーを設定しなければならず、成形が難しくなるどころか、スリーブ部の径の大きくする必要が生じる。
【００５５】
さらに、スリーブ部３ｅ，５ｅに加えて保持部３ｃ，５ｃにもマット処理加工面３ｎ，５ｎを設けているので、保持部３ｃ，５ｃを通過してプリズム９側に入射する光も減少させることができ、ゴーストフレアの発生をより効果的に防止することができる。
【００５６】
さらに、保持部３ｃ，５ｃのマット処理加工面３ｎ，５ｎを光軸方向に対して直交する面に設け、かつスリーブ部３ｅ，５ｅ側および保持部３ｃ，５ｃ側のマット処理加工面３ｎ，５ｎを略面一にしているので、マット処理加工が容易となる。
【００５７】
以上説明したように、この実施の形態では、スリーブ部３ｅ，５ｅおよび保持部３ｃ，５ｃに光分散加工面であるマット処理加工面３ｎ，５ｎを設けている。このため、スリーブ部３ｅ，５ｅを光軸方向に長くしてもスリーブ部３ｅ，５ｅや保持部３ｃ，５ｃを導光体としてプリズム９内に入射する光を減少させることができる。
【００５８】
これにより、スリーブ部３ｅ，５ｅ、ひいては対物レンズ３，５の光軸方向の円滑な移動を確保することができるとともに、接眼レンズ１３からゴーストフレアがはっきり見えてしまう現象を回避することができる。
【００５９】
なお、本発明は上記実施の形態に例示したものに限定されるものではなく、本発明の要旨を逸脱しない範囲において適宜変更可能である。
【００６０】
例えば、上記実施の形態では、ゴーストフレアを最小限にするために、第２の対物レンズ３および第３の対物レンズ５の両方にマット処理加工を施しているが、いずれか一方の対物レンズのみにマット処理加工を施すようにしてもよい。
【００６１】
また、上記実施の形態では、光分散加工としてのマット処理加工を対物レンズの一体成形時に同時に施しているが、対物レンズの一体成形後にマット処理加工を施すようにしてもよい。
【００６２】
さらに、上記実施の形態では、スリーブ部３ｅ，５ｅや保持部３ｃ，５ｃに対して光分散加工を施した場合を例示したが、これに限定されない。例えば、スリーブ部３ｅ，５ｅや保持部３ｃ，５ｃに対してつや消し加工やしぼ加工などの光の透過率を減少させる加工を施すようにしてもよい。
【図面の簡単な説明】
【００６３】
【図１】本発明の実施の形態の一例である変倍ファインダ装置を説明するための分解斜視図である。
【図２】図１に示す変倍ファインダ装置のワイド端状態を示す斜視図である。
【図３】図１に示す変倍ファインダ装置のテレ端状態を示す斜視図である。
【図４】図１に示す変倍ファインダ装置を構成する第２の対物レンズを説明するための斜視図である。
【図５】図４に示す第２の対物レンズを背面側から見た斜視図である。
【図６】図１に示す変倍ファインダ装置を構成する第３の対物レンズを説明するための斜視図である。
【図７】図６に示す第３の対物レンズを背面側から見た斜視図である。
【図８】従来の変倍ファインダ装置を説明するための斜視図である。
【図９】従来の変倍ファインダ装置を説明するための斜視図である。
【図１０】従来の変倍ファインダ装置を説明するための斜視図である。
【符号の説明】
【００６４】
３    第２の対物レンズ
３ｃ  保持部
３ｅ  スリーブ部（スライド部）
３ｎ  マット処理加工面
５    第３の対物レンズ
５ｃ  保持部
５ｅ  スリーブ部（スライド部）
５ｎ  マット処理加工面
８    ガイドバー（ガイド部材）
【図１】
2008070631.tif 000003
【図２】
2008070631.tif 000004
【図３】
2008070631.tif 000005
【図４】
2008070631.tif 000006
【図５】
2008070631.tif 000007
【図６】
2008070631.tif 000008
【図７】
2008070631.tif 000009
【図８】
2008070631.tif 000010
【図９】
2008070631.tif 000011
【図１０】
2008070631.tif 000012